(57)【要約】【課題】アンテナを介して行う通信を良好に行うことができ、安定した通信機能を得ることができるようにする。【解決手段】電磁調理器１において、本体２の前面部の操作パネル部５に、通信装置２７とアンテナ３１を設ける。アンテナ３１は合成樹脂製のスイッチ飾り枠２１の内部に保持固定し、スイッチ飾り枠２１は、金属板製の固定ベース１２に着脱可能に取り付ける。アンテナ３１を、他の機器などが設置され難い本体２の前面部に配置するようにしたので、アンテナ３１を介して行う通信が他の機器に影響され難い。【選択図】　図１
2004139834.tif 000002
【特許請求の範囲】
【請求項１】
前面部に操作パネル部を備えて構成された本体と、
この本体に設けられ、調理情報を含む情報を通信する通信手段と、
この通信を無線で行うためのアンテナとを備え、
前記アンテナを前記本体の前面部に設けたことを特徴とする電磁調理器。
【請求項２】
通信手段及びアンテナは操作パネル部に配置され、この操作パネル部は、本体に対し着脱可能であることを特徴とする請求項１記載の電磁調理器。
【請求項３】
通信手段及びアンテナは後付けが可能であることを特徴とする請求項１または２記載の電磁調理器。
【請求項４】
アンテナは、合成樹脂製のカバーにより覆われていることを特徴とする請求項１ないし３のいずれかに記載の電磁調理器。
【請求項５】
カバーは着脱可能であることを特徴とする請求項４記載の電磁調理器。
【請求項６】
アンテナはカバーにより固定されていることを特徴とする請求項４または５記載の電磁調理器。
【請求項７】
アンテナの背面に金属板が配置されていることを特徴とする請求項１ないし６のいずれかに記載の電磁調理器。
【発明の詳細な説明】
【０００１】
【発明の属する技術分野】
本発明は、通信手段及びアンテナを備えた電磁調理器に関する。
【０００２】
【従来の技術】
従来、加熱手段として高周波電磁誘導コイルを備えた電磁調理器において、前記加熱手段を制御する制御装置を、ＩＣカードを装着可能な構成とし、その制御装置に、調理ソフトを記憶させたＩＣカードを装着することにより、設定された調理に適した、加熱温度、加熱速度、加熱時間を自動的に制御すると共に調理用の材料および調味料を入れるタイミングを指示するようにした構成としたものが提案されている（例えば、特許文献１）。
【０００３】
一方、電子レンジにおいては、加熱制御、或いは調理のレシピや方法などの情報の取得や、制御用プログラムのバージョンアップ等を目的として、電子レンジと家庭内端末（いわゆるホーム端末）との間で家庭内無線通信ネットワーク（家庭内無線ＬＡＮ）を構築し、家庭内端末は、公衆回線及びインターネットを介してサーバーから上述の情報を得て、電子レンジに転送するようにすることが提案されている。この場合、電子レンジには通信手段とアンテナが必要である。
【０００４】
【特許文献１】
特開平５−３２２１８１号公報
【０００５】
【発明が解決しようとする課題】
そこで、電磁調理器においても、上記電子レンジと同様な機能（家庭内端末と無線通信を行う機能）を設けることが考えられる。このためには、電磁調理器においても通信手段とアンテナを設ける必要があるが、当該電磁調理器の周囲に設置される他の機器の影響を受けて、通信が良好に行われないおそれがあり、特にアンテナの配置が問題となる。
【０００６】
本発明は上記事情に鑑みてなされたものであり、その目的は、アンテナを介して行う通信を良好に行うことができ、安定した通信機能を得ることができる電磁調理器を提供するにある。
【０００７】
【課題を解決するための手段】
上記の目的を達成するために、請求項１の発明の電磁調理器は、前面部に操作パネル部を備えて構成された本体と、この本体に設けられ、調理情報を含む情報を通信する通信手段と、この通信を無線で行うためのアンテナとを備え、前記アンテナを前記本体の前面部に設けたことを特徴とする。
【０００８】
本体の前面部には、操作を行うための操作パネル部が存しているため、本体の前面部の近くには、他の機器などが設置され難い。本発明はこの点に着目している。上記した手段においては、他の機器などが設置され難い本体の前面部にアンテナを設ける構成としているため、そのアンテナを介して行う通信が他の機器に影響され難い。よって、アンテナを介して行う通信を良好に行うことができ、安定した通信機能を得ることが可能となる。
【０００９】
請求項２の発明は、通信手段及びアンテナは操作パネル部に配置され、この操作パネル部は、本体に対し着脱可能であることを特徴とする。これによれば、操作パネル部を代えることで、通信手段及びアンテナを必要とする機種と、それらを必要としない機種とに容易に対応できる。
請求項３の発明は、通信手段及びアンテナは後付けが可能であることを特徴とする。これにおいても、通信機能を必要とする機種と必要としない機種とに容易に対応できる。また、通信機能がない機種でも、通信機能が必要となったときに設置することが可能となる。
【００１０】
請求項４の発明は、アンテナは、合成樹脂製のカバーにより覆われていることを特徴とする。これによれば、カバーにより、アンテナに水や誇りが付着することを防止できる共に保護できる。また、カバーは合成樹脂製であるから、通信の妨げにならない。
請求項５の発明は、カバーは着脱可能であることを特徴とする。これによれば、アンテナの保守点検などが容易にできる。
【００１１】
請求項６の発明は、アンテナはカバーにより固定されていることを特徴とする。これによれば、アンテナの固定が容易にできる。
請求項７の発明は、アンテナの背面に金属板が配置されていることを特徴とする。これによれば、アンテナの背面に金属板が配置されていることで、アンテナは、本体の電磁誘導コイル側からの電磁波の影響を受け難くなり、一層安定した通信機能を得ることが可能となる。
【００１２】
【発明の実施の形態】
以下、本発明の第１実施例について図１ないし図５を参照して説明する。まず、図２には、ビルトインタイプの電磁調理器１の外観が示されている。この電磁調理器１は、図示しない台所のキャビネットに組み込まれて使用される。この電磁調理器１の本体２は、金属板製の本体ケース３と、この本体ケース３の上面部に装着されたトッププレート４と、本体ケース３の右前部に設けられた操作パネル部５と、本体ケース３の左部に設けられたロースタ６と、操作パネル部５の右前部及びロースタ６の左前部に配置された側面スペーサ７，８とを備えて構成されている。
【００１３】
上記トッププレート４には、３個の円形の鍋載置部９，１０，１１が表示されている。本体ケース３の内部には、いずれも図示はしないが、前部の左右の鍋載置部９，１０の下方に位置させて、２個の電磁誘導コイルが配設されていると共に、後部中央の鍋載置部１１の下方に位置させて、ラジェントヒータからなる中央ヒータが配設されている。また、ロースタ６の内部にもロースタ用ヒータ（図示せず）が配設されている。
【００１４】
上記本体ケース３の前部には、図３に示すように金属板製の固定ベース１２がねじ止めされている。本体ケース３の前部の右部には、操作パネル装着部１３が設けられていて、ここに、電子部品が実装されたプリント基板ユニット（図示せず）が配設されている。図１に示すように、固定ベース１２の裏側には、電源スイッチ１４、表示ランプ１５、アンテナ接続端子１６が設けられていて、これらが固定ベース１２の前方に臨んでいる。プリント基板ユニットには、図示はしないがマイクロコンピュータからなる制御装置が設けられている。
【００１５】
固定ベース１２には、表示ランプ１５とアンテナ接続端子１６との間に位置させて、通信手段収容部１７が設けられていると共に、２個の係合孔１８が形成されている。固定ベース１２の前部において、操作パネル装着部１３の前部に位置させて上記操作パネル部５が着脱可能に装着されている。
【００１６】
この操作パネル部５は、操作パネル本体２０と、プラスチック製のカバーであるスイッチ飾り枠２１とから構成されている。操作パネル本体２０には、上記２個の電磁誘導コイル、中央ヒータ、ロースタ用ヒータに対応して、これらを操作するための４個の操作摘み２２〜２５が設けられている。スイッチ飾り枠２１は、左右両側の係合爪２６を上記係合孔１８へ係合させることによって、固定ベース１２に着脱可能に取り付けられている。
【００１７】
上記通信手段収容部１７には、図５に示すように、通信手段を構成する通信装置２７が着脱可能に挿入されている。この通信装置２７は、図示しないホーム端末と無線通信を行うためのものであり、例えば、近距離無線通信手段であるＢｌｕｅｔｏｏｔｈ（登録商標）を用いている。この通信装置２７を通信手段収容部１７に挿入することで、通信装置２７は、当該通信手段収容部１７の後部に設けられたコネクタ２８に接続される。上記ホーム端末は、例えば、加熱手段の加熱制御、調理のレシピや方法などの情報の取得や、制御用プログラムのバージョンアップ等を目的として、公衆回線及びインターネットを介してサーバーから上述の情報を得て、その情報を電磁調理器１に転送したり、電磁調理器１側で必要な要求があると、その情報を得て電磁調理器１に転送したりできるようになっている。
【００１８】
そして、上記スイッチ飾り枠２１の内部には、図４に示すように、アンテナ保持部２９，３０が一体に設けられていて、ここにアンテナ３１が保持固定されている。アンテナ３１に接続された電線３１ａの端部にコネクタ３２が接続されていて、このコネクタ３２が、上記アンテナ接続端子１６に着脱可能に接続されるようになっている。
【００１９】
この場合、通信装置２７を通信手段収容部１７に挿入すると共に、アンテナ３１をスイッチ飾り枠２１のアンテナ保持部２９，３０に保持させた状態で、スイッチ飾り枠２１の係合爪２６を固定ベース１２の係合孔１８に係合させることにより、スイッチ飾り枠２１を固定ベース１２の前部に取り付ける。これにより、通信装置２７及びアンテナ３１がスイッチ飾り枠２１により前方から覆われた状態となる。このとき、スイッチ飾り枠２１に形成された矩形状の開口部３３に電源スイッチ１４が挿入されると共に、円形の開口部３４に表示ランプ１５が挿入される。
【００２０】
上記左右の側面スペーサ７，８は、共に合成樹脂により形成されていて、図４に示すように、背面が開口した矩形箱状をなしている。これら側面スペーサ７，８は、操作パネル部５の右前部及びロースタ６の左前部に配置される。
【００２１】
上記した第１実施例によれば、次のような作用効果を得ることができる。
まず、通信装置２７のアンテナ３１を、電磁調理器１において、他の機器などが設置され難い本体２の前面部に配置するようにしたので、そのアンテナ３１を介して行う通信が他の機器に影響され難い。よって、アンテナ３１を介して行う通信を良好に行うことができ、安定した通信機能を得ることが可能となる。
【００２２】
通信装置２７及びアンテナ３１は操作パネル部５に設け、この操作パネル部５を、本体２に対して着脱可能な構成としたので、その操作パネル部５を代えることで、通信装置２７及びアンテナ３１を必要とする機種と、それらを必要としない機種とに容易に対応できる。
【００２３】
通信装置２７及びアンテナ３１は後付けが可能な構成としたので、通信機能を必要とする機種と必要としない機種とに容易に対応できる。また、通信機能がない機種でも、通信機能が必要となったときに設置することが可能となる。
【００２４】
アンテナ３１及び通信装置２７は、合成樹脂製のカバーであるスイッチ飾り枠２１により覆う構成としたので、それらに水や誇りが付着することを防止できる共に保護できる。また、スイッチ飾り枠２１は合成樹脂製であるから、通信の妨げにならない。スイッチ飾り枠２１は着脱可能であるから、アンテナ３１及び通信装置２７の保守点検などが容易にできる。さらに、アンテナ３１は、スイッチ飾り枠２１のアンテナ保持部２９，３０により保持固定するようにしたので、アンテナ３１の固定が容易にできる。
【００２５】
アンテナ３１の背面には、金属板製の固定ベース１２を配置しているので、本体ケース３内の電磁誘導コイルや中央ヒータからの電磁波の影響を受け難くなり、一層安定した通信機能を得ることが可能となる。
【００２６】
図６及び図７は本発明の第２実施例を示したものであり、この第２実施例は、アンテナ３１の配置場所が上記した第１実施例とは異なっている。すなわち、図６における右側の側面スペーサ３９は合成樹脂製であり、これの内部に、図７に示すようにアンテナ保持部４０，４１を設け、このアンテナ保持部４０，４１にアンテナ３１を保持させるようにしている。従って、その側面スペーサ３９は、アンテナ３１を覆うカバーを構成している。
【００２７】
アンテナ３１に接続された電線３１ａは、第１実施例の場合よりも長くし、側面スペーサ３９及びスイッチ飾り枠２１に形成した孔４２，４３に挿通し、コネクタ３２は、第１実施例と同様にアンテナ接続端子１６に接続する構成とする。このような構成とした第２実施例においても、上記した第１実施例とほぼ同様な作用効果を得ることができる。
【００２８】
本発明は、上記した各実施例にのみ限定されるものではなく、次のように変形または拡張できる。
電磁調理器としては、ビルトインタイプに限られず、据え置きタイプであっても良い。
【００２９】
【発明の効果】
以上の説明から明らかなように、本発明によれば、アンテナを本体の前面部に設けたことにより、アンテナを介して行う通信を良好に行うことができ、安定した通信機能を得ることができる。
【図面の簡単な説明】
【図１】本発明の第１実施例を示す要部の分解斜視図
【図２】全体の外観斜視図
【図３】分解斜視図
【図４】スイッチ飾り枠及び側面スペーサの後ろ側から見た斜視図
【図５】要部の縦断側面図
【図６】本発明の第２実施例を示す図２相当図
【図７】図４相当図
【符号の説明】
図面中、１は電磁調理器、２は本体、５は操作パネル部、１２は固定ベース（金属板）、１６はアンテナ接続端子、１７は通信手段収容部、２０は操作パネル本体、２１はスイッチ飾り枠（カバー）、２７は通信装置（通信手段）、２９，３０はアンテナ保持部、３１はアンテナ、３２はコネクタ、３９は側面スペーサ（カバー）、４０，４１はアンテナ保持部を示す。
【図１】
2004139834.tif 000003
【図２】
2004139834.tif 000004
【図３】
2004139834.tif 000005
【図４】
2004139834.tif 000006
【図５】
2004139834.tif 000007
【図６】
2004139834.tif 000008
【図７】
2004139834.tif 000009